(57)【要約】【課題】自動炊事だけでなく、遠隔で自動炊事が行える炊事システムを提供する。【解決手段】穀物を貯蔵する貯蔵部と、前記貯蔵部に貯蔵された穀物を洗浄し、炊飯水を調節する洗浄部と、前記洗浄部で洗浄された穀物と炊飯水で炊事を行う調理部と有する炊事装置を含み、前記炊事装置は、遠隔地から炊事命令及び炊事予約命令を受けるため、広域網に接続するためのインターフェース部を含む炊事システムを提供する。【選択図】　　　　図１
2004041673.tif 000002
【特許請求の範囲】
【請求項１】
炊事システムにおいて、
穀物を貯蔵する貯蔵部と、前記貯蔵部に貯蔵された穀物を洗浄し、炊飯水を調節する洗浄部と、前記洗浄部で洗浄された穀物と炊飯水で炊事を行う調理部と有する炊事装置を含み、
前記炊事装置は、遠隔地から炊事命令及び炊事予約命令を受けるため、広域網に接続するためのインターフェース部を含むことを特徴とする炊事システム。
【請求項２】
前記炊事システムは、前記広域網に接続する別のホームサーバーを有し、前記インターフェース部に接続されることを特徴とする請求項１記載の炊事システム。
【請求項３】
前記ホームサーバーには、炊事命令及び炊事予約のためのコンピュータが接続されることを特徴とする請求項２記載の炊事システム。
【発明の詳細な説明】
【０００１】
【発明の属する技術分野】
本発明は炊事システムに関し、より詳しくは遠隔で炊事が行える炊事システムに関するものである。
【０００２】
【従来の技術】
一般に、炊事のためには、電気炊飯器などを用いる。このため、使用者は直接お米の量を計量し、洗浄した後、お米の量に合う炊飯水を調節して炊事を行った。
このように、従来の電気炊飯器は、お米の量、炊飯水の量を使用者が直接計量しなければならないので、これに熟練していない使用者にとっては使用上の難しさがあった。また、従来の電気炊飯器によっては、使用者が所望時間に炊事ができなく、推定の帰宅時間に合わせて予約炊事を行うしかなかった。
【０００３】
【発明が解決しようとする課題】
本発明はこのような問題点を解決するためになされたもので、自動炊事だけでなく、遠隔で自動炊事が行える炊事システムを提供することをその目的とする。
【０００４】
【課題を解決するための手段】
前記目的を達成するため、本発明は、穀物を貯蔵する貯蔵部と、前記貯蔵部に貯蔵された穀物を洗浄し、炊飯水を調節する洗浄部と、前記洗浄部で洗浄された穀物と炊飯水で炊事を行う調理部と有する炊事装置を含み、前記炊事装置は、遠隔地から炊事命令及び炊事予約命令を受けるため、広域網に接続するためのインターフェース部を含む炊事システムを提供する。
【０００５】
【発明の実施の形態】
以下、本発明の好ましい実施形態を添付図面に基づいて詳細に説明する。
図１は本発明による炊事システムを説明するブロック図である。
同図に示すように、本発明による炊事装置１００にはネットワーク４０が接続され、前記ネットワークにはＰＣ１０、携帯電話２０及びＰＤＡ３０などが接続される。また、前記炊事装置１００は家庭内に設けられたホームサーバー２００に接続され、前記ホームサーバー２００には家庭用コンピュータ３００が接続される。
【０００６】
図２は本発明による炊事装置を説明するための全体の断面図である。
同図に示すように、本発明による炊事装置１００は、穀物を貯蔵する貯蔵部１１０と、穀物を洗浄する洗浄部１２０と、洗浄された穀物を炊事する調理部１３０とが下方に順次設けられている。
【０００７】
図３は本発明による炊事装置の貯蔵部１１０を説明する断面図である。
同図に示すように、貯蔵部１１０は、所定量のお米を貯蔵するための第１貯蔵容器１１１と、雑穀を貯蔵するための第２貯蔵容器１１２とを含む。前記第１貯蔵容器１１１及び第２貯蔵容器１１２の下部には、貯蔵された穀物を洗浄部１２０に投入するための第１開閉部１１３及び第２開閉部１１４が設けられる。前記第１開閉部１１３及び第２開閉部１１４はソレノイドバルブにより良好に具現することができる。また、下部の一側には給水のための給水管１１５が設けられる。
【０００８】
図４は本発明による炊事装置の洗浄部の構成を説明する断面図である。
同図に示すように、洗浄部１２０は、前記貯蔵部１１０から投下されるお米を洗浄するための洗浄容器１２１を有する。前記洗浄容器１２１は壁面が所定の角度に傾いた漏斗形状であり、前記壁面には、円滑な洗浄のため、多数の突起が設けられている。また、洗浄容器１２１の上部には、給水管１１５を開閉させる給水バルブ１２２が設けられ、一側には洗浄容器１２１を回転させるための洗浄モータ１２３が設けられる。また、前記洗浄容器１２１の下部一側、洗浄後の水を排水するための排水バルブ１２４及び排水管１２５が設けられ、洗浄容器１２１の下部には、洗浄容器１２１内の水とお米の量を検出するための圧力検出部１２７と、洗浄後、炊飯水とお米を調理部１３０に投下するための開閉バルブ１２６とが設けられる。
【０００９】
図５は本発明による炊事装置の調理部の構成を説明する断面図である。
同図に示すように、調理部１３０は、炊飯釜１３１と、前記炊飯釜１３１を加熱するためのヒーター１３２と、炊事時に発生する水蒸気の圧力によって自動に開閉される圧力バルブ１３３と、前記圧力バルブ１３３の開放の際、水蒸気を外部へ排出する排出口１３４とを含む。さらに、炊飯釜１３１の一側には、温度を検出するための温度検出部１３５が設けられる。
【００１０】
図６は本発明による炊事装置を制御するための構成を示すブロック図である。同図に示すように、本発明は、全体動作を制御するための制御部１６０を有し、使用者からの命令を受けるための入力部１４０が前記制御部１６０に接続される。また、負荷を駆動するための駆動部１７０が制御部１６０に接続される。前記制御部１６０には、前記炊飯釜の温度を検出する温度検出部１３５と、動作プログラムを記憶するメモリ１５０とが接続される。前記駆動部１７０には、第１開閉部及び第２開閉部１１３、１１４、給水バルブ１２２、洗浄モータ１２３、排水バルブ１２４、開閉バルブ１２６、ヒーター１３２、圧力バルブ１３３、及びアラムのためのブザー１８０が接続される。
また、制御部１６０には、情報を表示するための表示部１９１が接続され、ネットワーク４０及びホームサーバー２０に接続するためのインターフェース部１９２が接続される。
【００１１】
以下、本発明による炊事システムの作動を説明する。
使用者は入力部１４０を通じて炊事命令を入力することができる。この際、使用者は入力部１４０により炊事量及び炊事種類を選択することができる。入力部１４０を通じて炊事命令が入力されると、制御部１６０は前記炊事命令に応じて駆動部１７０を制御する。
【００１２】
制御部１６０は駆動部１７０を制御して第１開閉部１１３及び第２開閉部１１４を制御して、お米及び雑穀の量を調節する。
制御部１６０の制御によって、第１開閉部１１３及び／又は第２開閉部１１４が開閉されると、お米及び／又は雑穀が洗浄部１２０の洗浄容器１２１に投下される。この際、制御部１６０は駆動部１７０を制御して給水バルブ１２２の開閉を制御することにより、洗浄容器１２１に水を供給する。
【００１３】
制御部１６０は、洗浄部１２０の下部に設けられた圧力検出部１３５により現在の洗浄容器１２１内のお米の量と炊飯水の量を認知する。前記圧力検出部１３５による信号が前記炊事命令により設定された信号となると、制御部１６０は駆動部１７０を制御して洗浄モータ１２３を作動させる。この際、制御部１６０は洗浄容器１２１が正逆回転するように洗浄モータ１２３を制御する。
【００１４】
所定時間が経過すると、制御部１６０は駆動部１７０を制御して排水バルブ１２４の開閉を制御する。このように洗浄された水は排水管１２５を通じて排出される。制御部１６０は前記のような洗浄動作を、お米の量によって前もって設定された回数だけ繰り返す。
所定回数の洗浄動作が完了すると、制御部１６０は給水バルブを開閉して炊飯水を洗浄容器に供給する。この際、制御部１６０は圧力検出部１２７により水の量とお米の量を認知する。炊飯水が供給されると、制御部１６０は駆動部１７０を制御して開閉バルブ１２６を開放させることにより、お米と炊飯水を調理部１３０の炊飯釜１３１内に投下する。
【００１５】
お米と炊飯水が前記炊飯釜内に投下されると、制御部１６０は開閉バルブ１２６を閉鎖させ、ヒーター１３２を駆動して炊事を進行する。制御部１６０は温度検出部１３５により検出された信号に応じてヒーター１３２の温度を制御する。炊事が進行するにつれて水蒸気が発生するが、前記水蒸気が所定圧力以上となると、圧力バルブ１３３が開放され、水蒸気は排出口１３４を通じて排出される。
前もって設定されたプログラムにより炊事が完了すると、制御部１６０は圧力バルブ１３３を開放させて水蒸気を排出口に排出する。
【００１６】
一方、使用者は家庭内のコンピュータ３００により炊事装置を制御する。コンピュータ３００により入力された炊事命令はホームサーバーを通じて炊事装置に伝送される。この際、制御部１６０はインターフェース部１９２を介して炊事命令を受信し、前記のような動作で炊事を行う。
また、使用者は遠隔地のＰＣ１０、携帯電話２０又はＰＤＡ３０を介してネットワーク４０に接続することにより、インターフェース部１９２を介してネットワーク４０に接続される炊事装置１００を制御する。この際、炊事装置１００はホームサーバー２００を介してネットワーク４０に接続できる。
【００１７】
【発明の効果】
以上説明したように、本発明による炊事システムによると、携帯電話、ＰＤＡ、ＰＣなどによりネットワークを介して外部で炊事装置を制御することにより、いつでも所望時間に自動に炊事ができるので、使用上の便利さを一層増大することができる。
【図面の簡単な説明】
【図１】本発明による炊事システムを示す全体ブロック図である。
【図２】本発明による炊事システムの炊事装置を示す断面図である。
【図３】本発明による炊事装置の貯蔵部の構成を示す断面図である。
【図４】本発明による炊事装置の洗浄部の構成を示す断面図である。
【図５】本発明による炊事装置の調理部の構成を示す断面図である。
【図６】本発明による炊事装置の制御手段を示すブロック図である。
【符号の説明】
１０…ＰＣ
２０…携帯電話
３０…ＰＤＡ
４０…ネットワーク
１００…炊事装置
１１０…貯蔵部
１１１…第１貯蔵容器
１１２…第２貯蔵容器
１１３…第１開閉部
１１４…第２開閉部
１１５…給水管
１２０…洗浄部
１２１…洗浄容器
１２２…給水バルブ
１２３…洗浄モータ
１２４…排水バルブ
１２５…排水管
１２６…開閉バルブ
１２７…圧力検出部
１３０…調理部
１３１…炊飯釜
１３２…ヒーター
１３３…圧力バルブ
１３４…排出口
１３５…温度検出部
２００…ホームサーバー
３００…家庭用コンピュータ
【図１】
2004041673.tif 000003
【図２】
2004041673.tif 000004
【図３】
2004041673.tif 000005
【図４】
2004041673.tif 000006
【図５】
2004041673.tif 000007
【図６】
2004041673.tif 000008